(57)【要約】【課題】製作の際の加工工程と部品点数を少なくでき、摺動装置の製作が極めて容易となり、小型の摺動装置であってもコスト安に摺動体が軸から抜け落ちてしまうことを防止できる極めて実用性に秀れた摺動装置を提供すること。【解決手段】軸と、該軸に設けられる摺動体とから成り、この摺動体は基部に袖部が設けられた構成であり、また、軸と摺動体の間には、転動体保持器に保持された転動体が設けられ、この転動体保持器は前記摺動体及び軸に対して摺動可能に構成されている摺動装置において、前記転動体保持器の摺動方向の両端部若しくはその近傍には前記軸若しくは前記摺動体に設けた係止部と夫々係止可能な係止受部が設けられ、更に、前記転動体保持器には窓が設けられ、この窓の前記摺動方向の両内縁と、摺動体若しくは軸に設けられている係止凸部とが係止するように構成されている摺動装置。【選択図】　　　　図２
2004019767.tif 000002
【特許請求の範囲】
【請求項１】
軸と、該軸に設けられる摺動体とから成り、この摺動体は基部に袖部が設けられた構成であり、また、軸と摺動体の間には、転動体保持器に保持された転動体が設けられ、この転動体保持器は前記摺動体及び軸に対して摺動可能に構成されている摺動装置において、前記転動体保持器の摺動方向の両端部若しくはその近傍には前記軸若しくは前記摺動体に設けた係止部と夫々係止可能な係止受部が設けられ、更に、前記転動体保持器には窓が設けられ、この窓の前記摺動方向の両内縁と、摺動体若しくは軸に設けられている係止凸部とが係止するように構成されていることを特徴とする摺動装置。
【請求項２】
請求項１記載の摺動装置において、前記軸の両端部には係止部が夫々設けられ、また、前記摺動体には係止凸部が設けられていることを特徴とする摺動装置。
【請求項３】
請求項１，２記載の摺動装置において、前記摺動体は、基部の左右に袖部が垂設されたものであり、また、前記転動体保持器は、基板部の左右に垂下部が垂設されているものであり、この転動体保持器は軸と摺動体の内面との間に配設され、更に、この転動体保持器の基板部は摺動体の基部に、また、転動体保持器の左右の垂下部は摺動体の左右の袖部に添設されていることを特徴とする摺動装置。
【請求項４】
請求項３記載の摺動装置において、前記転動体は、軸の両側面に形成された負荷溝及び摺動体の袖部内面に形成された負荷溝に当接して転動するように構成されていることを特徴とする摺動装置。
【請求項５】
請求項１〜４いずれか１項に記載の摺動装置において、前記転動体保持器の垂下部には小孔が並設され、この小孔には転動体が転動可能な状態で配設されていることを特徴とする摺動装置。
【請求項６】
請求項１〜５いずれか１項に記載の摺動装置において、前記転動体保持器の窓は転動体保持器の基板部に設けられていることを特徴とする摺動装置。
【請求項７】
請求項１〜６いずれか１項に記載の摺動装置において、前記転動体保持器の係止受部は、該転動体保持器の基板部の端縁に形成した切り欠き凹部であることを特徴とする摺動装置。
【請求項８】
請求項１〜７いずれか１項に記載の摺動装置において、前記転動体は鋼球であることを特徴とする摺動装置。
【発明の詳細な説明】
【０００１】
【発明の属する技術分野】
本発明は、摺動装置に関するものである。
【０００２】
【従来の技術及び発明が解決しようとする課題】
従来の摺動装置は、例えば図４〜６に示すように、軸２１と、該軸２１に被嵌される摺動体２２とから成り、この摺動体２２は基部２７の左右に袖部２８が垂設せしめられた構成であり、また、軸２１の両側面と摺動体２２の袖部２８内面との間には、転動体保持器２４に保持された転動体２３が設けられ、更に、転動体保持器２４は、前記摺動体２２の基部２７に添設される基板部２４ａ及び前記摺動体２２の左右の袖部２８に添設される左右の垂下部２４ｂとから成る断面コ字状体であり、この転動体保持器２４は前記摺動体２２及び軸２１に対して摺動可能に構成されているものである（以下、単に「従来装置」という）。
【０００３】
この従来装置は該摺動体２２に適宜な部材を取り付け、この適宜な部材を摺動させるために利用される。
【０００４】
ところで、この従来装置は、摺動体２２が軸２１から脱落することを防止するため、摺動体２２と軸２１との摺動方向の両端面に、転動体保持器２４の過剰な移動を阻止して摺動体２２が軸２１から脱落することを防止するストッパー側板２５が止めネジ２６により固定されている。
【０００５】
従って、従来装置は、このストッパー側板２５を設けるため、摺動体２２と軸２１夫々の両端面にタップ加工を施す必要があり厄介である。
【０００６】
特に、小型の摺動装置を製作する場合には、使用する止めネジ２６も小さく、よって上述のタップ加工も小径で非常に煩わしく手間がかかるため、コスト高になってしまうという問題がある。
【０００７】
本発明は、上述の問題点を解決するもので、製作の際の加工工程と部品点数を少なくでき、摺動装置の製作が極めて容易となり、小型の摺動装置であってもコスト安に摺動体が軸から抜け落ちてしまうことを防止できる極めて実用性に秀れた摺動装置を提供するものである。
【０００８】
【課題を解決するための手段】
添付図面を参照して本発明の要旨を説明する。
【０００９】
軸１と、該軸１に設けられる摺動体２とから成り、この摺動体２は基部５に袖部６が設けられた構成であり、また、軸１と摺動体２の間には、転動体保持器４に保持された転動体３が設けられ、この転動体保持器４は前記摺動体２及び軸１に対して摺動可能に構成されている摺動装置において、前記転動体保持器４の摺動方向の両端部若しくはその近傍には前記軸１若しくは前記摺動体２に設けた係止部７と夫々係止可能な係止受部８が設けられ、更に、前記転動体保持器４には窓９が設けられ、この窓９の前記摺動方向の両内縁と、摺動体２若しくは軸１に設けられている係止凸部１０とが係止するように構成されていることを特徴とする摺動装置に係るものである。
【００１０】
また、請求項１記載の摺動装置において、前記軸１の両端部には係止部７が夫々設けられ、また、前記摺動体２には係止凸部１０が設けられていることを特徴とする摺動装置に係るものである。
【００１１】
また、請求項１，２記載の摺動装置において、前記摺動体２は、基部５の左右に袖部６が垂設されたものであり、また、前記転動体保持器４は、基板部４ａの左右に垂下部４ｂが垂設されているものであり、この転動体保持器４は軸１と摺動体２の内面との間に配設され、更に、この転動体保持器４の基板部４ａは摺動体２の基部５に、また、転動体保持器４の左右の垂下部４ｂは摺動体２の左右の袖部６に添設されていることを特徴とする摺動装置に係るものである。
【００１２】
また、請求項３記載の摺動装置において、前記転動体３は、軸１の両側面に形成された負荷溝１１及び摺動体２の袖部６内面に形成された負荷溝１２に当接して転動するように構成されていることを特徴とする摺動装置に係るものである。
【００１３】
また、請求項１〜４いずれか１項に記載の摺動装置において、前記転動体保持器４の垂下部４ｂには小孔４’が並設され、この小孔４’には転動体３が転動可能な状態で配設されていることを特徴とする摺動装置に係るものである。
【００１４】
また、請求項１〜５いずれか１項に記載の摺動装置において、前記転動体保持器４の窓９は転動体保持器４の基板部４ａに設けられていることを特徴とする摺動装置に係るものである。
【００１５】
また、請求項１〜６いずれか１項に記載の摺動装置において、前記転動体保持器４の係止受部８は、該転動体保持器４の基板部４ａの端縁に形成した切り欠き凹部であることを特徴とする摺動装置に係るものである。
【００１６】
また、請求項１〜７いずれか１項に記載の摺動装置において、前記転動体３は鋼球であることを特徴とする摺動装置に係るものである。
【００１７】
【発明の作用及び効果】
転動体３を介し摺動体２を軸１に対して摺動させる。この際、該転動体３を保持している転動体保持器４も摺動する。
【００１８】
この転動体保持器４及び摺動体２の摺動移動は、例えば、軸１の両端部に係止部７が設けられ、摺動体２に係止凸部１０が設けられている場合、転動体保持器４の摺動方向の両端部に夫々設けられた係止受部８と、軸１の両端部に夫々設けられた係止部７との係止作用、及び、転動体保持器４に設けられた窓９の前記摺動方向の両内縁と、摺動体２に設けられた係止凸部１０との係止作用の双方により規制され、従って、摺動体２が軸１から脱落しない。
【００１９】
本発明のこのような摺動体２の脱落防止は、上記のとおり軸１若しくは摺動体２の係止部７、軸１若しくは摺動体２の係止凸部１０並びに転動体保持器４の係止受部８及び窓９の内縁とで達成され、従来装置のように摺動体と軸の両端面に止めネジによってストッパー側板を取り付ける構成ではないから、摺動体と軸の両端面の煩わしいタップ加工を無くすことができる。
【００２０】
また、本発明は摺動装置を構成する必須の部品である転動体保持器に所定の加工を施すだけで摺動体の脱落を防止できるから、従来装置のように別途ストッパー板部品を用意しなくて済み、よって、従来装置に比べ製作の際の加工工程と部品点数を少なくできる。
【００２１】
更に、本発明は両端部に取り付けられるストッパー側板が不要であることから、ストッパー側板の厚み分だけ、摺動体の摺動ストロークを長く設定することができる。
【００２２】
以上、本発明によれば、極めて容易に摺動装置を製作でき、また、小型の摺動装置であってもコスト安に摺動体が抜け落ちてしまうことを防止でき、更に、摺動体の摺動ストロークをより長く設定することができる極めて実用性に秀れた摺動装置を提供できることとなる。
【００２３】
【発明の実施の形態】
図１〜３は本発明の一実施例を図示したものであり、以下に説明する。
【００２４】
本実施例は、軸１と、該軸１に設けられる摺動体２とから成り、この摺動体２は基部５に袖部６が設けられた構成であり、また、軸１と摺動体２の間には、転動体保持器４に保持された転動体３が設けられ、この転動体保持器４は前記摺動体２及び軸１に対して摺動可能に構成されている摺動装置において、前記転動体保持器４の摺動方向の両端部若しくはその近傍には前記軸１若しくは前記摺動体２に設けた係止部７と夫々係止可能な係止受部８が設けられ、更に、前記転動体保持器４には窓９が設けられ、この窓９の前記摺動方向の両内縁と、摺動体２若しくは軸１に設けられている係止凸部１０とが係止するように構成されているものである。
【００２５】
各部を具体的に説明すると、軸１は、断面視略四角形状のものが採用され、この軸１の左右の両側面に負荷溝１１が１条ずつ形成されている。
【００２６】
また、軸１には取付台等を固定するための固定用孔１３が穿設されている。
【００２７】
また、軸１の前記摺動方向の両端部の前記固定用孔１３と並設される位置には、係止用孔１５が穿設され、この係止用孔１５には、止めネジ１４が螺着される。
【００２８】
この止めネジ１４の頭部は、係止用孔１５から突出し、この突出した止めネジ１４の頭部が係止部７に設定されている。
【００２９】
摺動体２は、基部５の左右に袖部６を垂設した断面視コ字状のものが採用され、この摺動体２の左右の袖部６内面にして、前記軸１の負荷溝１１と対向する位置には、負荷溝１２が１条ずつ形成されている。
【００３０】
また、摺動体２の基部５の上面は冶具や工具等の摺動させたい部材を安定的に取り付けるために平坦面に形成され、この平坦面には前記摺動させたい部材を取り付けるための取付孔１６が穿設されている。
【００３１】
また、摺動体２の中央部の前記取付孔１６と並設される位置には係止用孔１７が穿設され、この係止用孔１７には、止めネジ１４が螺着される。
【００３２】
この止めネジ１４の尾部は、係止用孔１７から突出し、この突出した止めネジ１４の尾部が係止凸部１０に設定されている。
【００３３】
また、本実施例は係止部７を軸１に設け、係止凸部１０を摺動体２に設けた場合であるが、逆に係止部７を摺動体２に設け、係止凸部１０を軸１に設けてもよい。
【００３４】
転動体保持器４は、基板部４ａの左右に垂下部４ｂを垂設した断面視コ字状のものが採用され、この転動体保持器４は軸１と摺動体２の内面との間に配設され、具体的には、この転動体保持器４の基板部４ａは摺動体２の基部５に添設され、また、転動体保持器４の左右の垂下部４ｂは摺動体２の左右の袖部６に添設されるように設定されている。
【００３５】
また、この転動体保持器４の左右の垂下部４ｂには、多数の小孔４’が前記摺動方向に並設形成され、この小孔４’に転動体３として鋼球が転動可能な状態で配設されている。
【００３６】
この転動体３は、負荷溝１１と負荷溝１２に夫々負荷当接して転動する。
【００３７】
また、転動体保持器４の基板部４ａの両端縁には止めネジ１４の頭部を収納できるように形成した半円状の切り欠き凹部が設けられ、この切り欠き凹部が係止受部８に設定されている。
【００３８】
尚、この係止受部８は切り欠き凹部に設定せずに、切り欠かないままの直線縁でもよい。
【００３９】
また、この転動体保持器４の基板部４ａの中央部には、前記摺動方向に伸びる窓９が形成されている。
【００４０】
本実施例は上述のように構成したから、例えば、転動体３を介して軸１に対して摺動体２を右方向に摺動させると、転動体３を保持している転動体保持器４も右方向に摺動する。
【００４１】
この転動体保持器４と摺動体２の右方向への摺動移動は図１に示すように、転動体保持器４の右側端縁に設けられた係止受部８と、軸１の右側端部に設けられた係止部７との係止作用、及び、転動体保持器４に設けられた窓９の右側の内縁と、摺動体２に設けられた係止凸部１０との係止作用の双方により、軸１の右側端部所定位置において阻止され、従って、摺動体２が軸１から脱落しない。
【００４２】
本実施例の摺動体２の摺動移動は、転動体３が軸１及び摺動体２の左右の袖部６に形成された負荷溝１１，１２と負荷当接して転動することから、がたつきなく安定してスムーズに行うことができる。
【００４３】
また、本実施例の係止部７と係止凸部１０は、止めネジ１４からなるため、一度取り付けた後の微調整が極めて簡便である。
【００４４】
また、本実施例のこのような摺動体２の脱落防止は、上記のとおり軸１の係止部７、摺動体２の係止凸部１０並びに転動体保持器４の係止受部８及び窓９の内縁とで達成され、従来装置のように摺動体と軸の両端面に止めネジによってストッパー側板を取り付ける構成ではないから、摺動体と軸の両端面の煩わしいタップ加工を無くすことができる。
【００４５】
また、本実施例は摺動装置を構成する必須の部品である転動体保持器に所定の加工を施すだけで摺動体の脱落を防止できるから、従来装置のように別途ストッパー板部品を用意しなくて済み、よって、従来装置に比べ製作の際の加工工程と部品点数を少なくできる。
【００４６】
また、本実施例は両端部に取り付けられるストッパー側板が不要であることから、ストッパー側板の厚み分だけ摺動体の摺動ストロークをより長く設定することができる。
【００４７】
更に、本実施例は係止受部を半円状の切り欠き凹部としたから、係止受部と係止部とが係止する位置がより軸の端部側となり、摺動体の摺動可能範囲を係止受部を直線縁に設定した場合と比べ広く設定することができる。
【００４８】
以上、本実施例によれば、極めて容易に摺動装置を製作でき、また、小型の摺動装置であってもコスト安に摺動体が抜け落ちてしまうことを防止でき、更に、摺動体の摺動ストロークを長く設定することができる極めて実用性に秀れた摺動装置を提供できることとなる。
【図面の簡単な説明】
【図１】本実施例の説明斜視図である。
【図２】本実施例の説明分解斜視図でる。
【図３】本実施例の説明断面図である。
【図４】従来例の説明斜視図である。
【図５】従来例の説明断面図である。
【図６】従来例の説明裏面図である。
【符号の説明】
１　軸
２　摺動体
３　転動体
４　転動体保持器
４ａ　基板部
４ｂ　垂下部
５　基部
６　袖部
７　係止部
８　係止受部
９　窓
１０　係止凸部
１１　軸側負荷溝
１２　摺動体袖部側負荷溝
【図１】
2004019767.tif 000003
【図２】
2004019767.tif 000004
【図３】
2004019767.tif 000005
【図４】
2004019767.tif 000006
【図５】
2004019767.tif 000007
【図６】
2004019767.tif 000008